(57)【要約】【課題】組み合わせノイズ試験と同等のノイズ試験を、電力変換装置における最終製品の電力変換器を用いずに行なうことができるとともに、様々なタイプの電力変換器に汎用的に適用できる電力変換装置の試験装置を提供することである。【解決手段】提案する電力変換装置の試験装置は、最終製品の電力変換器に換えて用いられて、この電力変換器よりも出力容量が小さい試験用電力変換器と、制御回路の基準電位部と、前記試験用電力変換器の接地電位部との間にノイズ電圧を印加する高周波電圧印加装置と、を備える。また、前記試験用電力変換器は、商用交流電源を直流に変換する順変換回路部と、該順変換回路部の後段に設けられた系統インピーダンスを模擬する系統インピーダンス模擬部と、該系統インピーダンス模擬部の後段に設けられた複数の上下スイッチングアームと、を備える。【選択図】  図１
2010217043.tif 000002
【特許請求の範囲】
【請求項１】
１つ以上の半導体スイッチング素子により構成されて、スイッチング動作により電力変換を行なう最終製品の電力変換器と、
前記１つ以上の半導体スイッチング素子に流れる主電流を制御する制御信号を生成して前記１つ以上の半導体スイッチング素子に与える制御回路と、
を具備した電力変換装置を試験する試験装置であって、
この電力変換装置の試験装置は、前記最終製品の電力変換器に換えて用いられて、この電力変換器よりも出力容量が小さい試験用電力変換器と、
前記制御回路の信号の基準となる電位部と、前記試験用電力変換器の接地電位部との間にノイズ電圧を印加する高周波電圧印加装置と、
を備え、
前記試験用電力変換器は、
商用交流電源を直流に変換する順変換回路部と、
該順変換回路部の後段に設けられ、系統インピーダンスを模擬する系統インピーダンス模擬部と、
該系統インピーダンス模擬部の後段に設けられた、それぞれが上アームに相当する半導体スイッチング素子と、下アームに相当する半導体スイッチング素子とを有する、複数の上下スイッチングアームと、を備えることを特徴とする電力変換装置の試験装置。
【請求項２】
前記複数の上下スイッチングアームに含まれる複数の半導体スイッチング素子について、前記最終製品の電力変換器の回路構成に合わせて、スイッチングするものとスイッチングしないものとを選別し、
スイッチングするアームには、前記最終製品の電力変換器を動作させるのと同一のスイッチングパルスを入力し、スイッチングしないアームは、常時オフにしておくように動作させる、ことを特徴とする請求項１記載の電力変換装置の試験装置。
【請求項３】
前記複数の上下スイッチングアームは、直流を交流に変換する逆変換回路部を備え、
この逆変換回路部の出力側に、前記試験用電力変換器の出力容量よりも負荷容量の小さい負荷を接続したか、または、負荷を接続しないことを特徴とする請求項１記載の電力変換装置の試験装置。
【請求項４】
前記試験用電力変換器は、前記最終製品の電力変換器と前記試験用電力変換器との電気的特性の差分を調整する差分調整部、をさらに有することを特徴とする請求項２に記載の電力変換装置の試験装置。
【請求項５】
前記最終製品の電力変換器は、該最終製品の電力変換器を構成する１つ以上の半導体スイッチング素子を冷却する第１の冷却フィンを備え、
前記試験用電力変換器は、前記最終製品の電力変換器の構成に対応した、複数の上下スイッチングアームのうちの１つ以上の半導体スイッチング素子を冷却する第２の冷却フィンを備え、
前記差分調整部は、前記最終製品の電力変換器の１つ以上の半導体スイッチング素子の出力端子と前記第１の冷却フィンとの間の静電容量Ｃ０と、前記試験用電力変換器の対応する１つ以上の上下スイッチングアームに含まれる２つの半導体スイッチング素子の接続点と前記第２の冷却フィンとの間の静電容量Ｃ１と、を一致または略一致させるコンデンサを備えることを特徴とする請求項４記載の電力変換装置の試験装置。
【請求項６】
前記差分調整部は、前記最終製品の電力変換器を構成する１つ以上の半導体スイッチング素子の各出力端子と接地電位部との間の対地インピーダンスとそれぞれ等価なインピーダンス素子を、前記試験用電力変換器の、前記最終製品の電力変換器の構成に対応した、複数の上下スイッチングアームのうちの１つ以上の上下スイッチングアームに含まれる２つの半導体スイッチング素子の各接続点と接地電位部との間にそれぞれ接続したものである請求項４記載の電力変換装置の試験装置。
【請求項７】
前記制御回路は、この制御回路の作動を司る中央処理装置を備え、
前記信号の基準となる電位部は、前記中央処理装置のシグナルグランドであることを特徴とする請求項１記載の電力変換装置の試験装置。
【請求項８】
前記制御回路の信号の基準となる電位部は、前記制御回路内の他の回路部分とは絶縁された箇所にある導電部のシグナルグランドであることを特徴とする請求項１記載の電力変換装置の試験装置。
【請求項９】
前記差分調整部は、前記試験用電力変換器の各半導体スイッチング素子のゲート端子と対応する各ゲート駆動信号出力部との間にゲート抵抗を備えるか、または、前記各半導体スイッチング素子のゲート−エミッタ間にゲートコンデンサを備え、
前記各ゲート抵抗の各抵抗値または前記各ゲートコンデンサの各容量を調整して、前記試験用電力変換器における各半導体スイッチング素子のオン時およびオフ時の電圧変化率を、最終製品の電力変換器において対応するそれぞれの半導体スイッチング素子のオン時およびオフ時の電圧変化率に一致または略一致させたことを特徴とする請求項４記載の電力変換装置の試験装置。
【請求項１０】
前記差分調整部は、前記試験用電力変換器の各半導体スイッチング素子のゲート端子と対応する各ゲート駆動信号出力部との間にゲート抵抗を備えるか、または、前記各半導体スイッチング素子のゲート−エミッタ間にゲートコンデンサを備え、
前記各ゲート抵抗の各抵抗値または前記各ゲートコンデンサの各容量を調整して、前記試験用電力変換器における各半導体スイッチング素子のオン時およびオフ時の電圧変化率を、最終製品の電力変換器において対応するそれぞれの半導体スイッチング素子のオン時およびオフ時の電圧変化率より大きく設定したことを特徴とする請求項４記載の電力変換装置の試験装置。
【請求項１１】
前記試験用電力変換器における電源電圧Ｖ１を、前記最終製品の電力変換器における電源電圧Ｖ０より低く設定したことを特徴とする請求項４記載の電力変換装置の試験装置。
【請求項１２】
前記最終製品の電力変換器は、該最終製品の電力変換器を構成する１つ以上の半導体スイッチング素子を冷却する第１の冷却フィンを備え、
前記試験用電力変換器は、前記最終製品の電力変換器の構成に対応した、複数の上下スイッチングアームのうちの１つ以上の半導体スイッチング素子を冷却する第２の冷却フィンを備え、
前記差分調整部は、前記試験用電力変換器の１つ以上の半導体スイッチング素子の出力端子と前記第２の冷却フィンとの間の静電容量Ｃ１を、前記最終製品の電力変換器の対応する１つ以上の上下スイッチングアームに含まれる２つの半導体スイッチング素子の接続点と前記第１の冷却フィンとの間の静電容量Ｃ０より大きくさせるコンデンサを備えることを特徴とする請求項１１記載の電力変換装置の試験装置。
【請求項１３】
前記試験用電力変換器に供給する電源電圧を調整する電圧調整部、をさらに有することを特徴とする請求項１記載の電力変換装置の試験装置。
【請求項１４】
交流電源からの交流電圧を直流電圧に整流する整流回路と、
前記交流電源と前記整流回路との間に設けられた、半導体スイッチング素子を用いずに構成された電圧調整部とをさらに有し、
前記電圧調整部により、交流電源から出力された交流電圧を、所望とする電圧まで昇圧または降圧して、前記整流回路に出力することを特徴とする請求項１記載の電力変換装置の試験装置。
【請求項１５】
交流電源からの交流電圧を直流電圧に整流する整流回路と、
前記整流回路から出力された直流電圧を、所望とする電圧まで昇圧または降圧して、平滑コンデンサに出力する昇降圧チョッパ回路と、を有することを特徴とする請求項１記載の電力変換装置の試験装置。
【請求項１６】
前記系統インピーダンス模擬部は、インピーダンスを可変に設定できる機能をさらに有することを特徴とする請求項１記載の電力変換装置の試験装置。
【請求項１７】
前記系統インピーダンス模擬部は、コモンモード等価回路に基づいて定数変換された部品定数を持つ部品により構成されたＬＩＳＮにより構成されることを特徴とする請求項１記載の電力変換装置の試験装置。
【発明の詳細な説明】
【技術分野】
【０００１】
本発明は、電力変換装置の試験技術に係り、特に電力変換器と制御回路により構成された半導体スイッチング素子を用いた電力変換装置に好適な電力変換装置の試験装置に関する。
【背景技術】
【０００２】
電力変換器と制御回路により構成される半導体電力変換装置では、浮遊容量に起因して制御回路から金属製の筐体に流れる電流等により、制御回路が誤動作することがある。
制御回路の誤動作を回避するために、半導体電力変換装置の制御回路に対し、製造工程において電磁ノイズ耐量試験が行われ、ノイズ耐量を所定のレベルに改善する対策がなされる。
【０００３】
図１８は、従来の電力変換装置の試験方法を示す図である。
図１８に示す、従来の電力変換装置２００は、電力変換器２０１と、その電力変換器２０１を制御する制御回路２０２によって構成される。
【０００４】
電力変換器２０１は、与えられた交流電圧を直流電圧に整流するダイオードブリッジ（整流回路）２０３と、この直流電圧を平滑する平滑コンデンサ２０４と、複数の半導体スイッチング素子（例えば、ＩＧＢＴ、絶縁ゲートバイポーラトランジスタ）２０５−１、２０５−２、２０６−１、２０６−２、２０７−１、２０７−２により構成されて、平滑された直流電圧を交流電圧に変換する三相インバータ回路２０８とを備え、負荷（モータ等、図１８では不図示）に交流電圧を出力する。電流センサ２０９−１、２０９−２は、三相インバータ回路２０８のｕ相の出力端とｗ相の出力端に流れる交流電流をその大きさに応じた検出電圧（交流電圧）に変換し、電流検出信号として制御回路２０２に出力する。
【０００５】
制御回路２０２は、整流回路２０３により整流された直流電圧と、電力変換器２０１が出力する交流電流に対応した検出電圧とが入力され、上記各半導体スイッチング素子のゲート電圧を制御するゲート駆動信号を生成し、各ゲート駆動回路（図１８では、半導体スイッチング素子２０５−１、２０５−２に対応するゲート駆動回路２１１−１、２１１−２だけが図示され、後は省略されている）に出力する。
【０００６】
そして、図１９に示すように、高周波電圧印加装置２１２により、制御回路２０２の信号の基準となる電位部と、電力変換器２０１の接地電位部（図１９では、筺体等金属２１４をグランドとしている）との間に数ｋＶのノイズ電圧を印加して、制御回路２０２が誤動作しないことを確認する電磁ノイズ耐量試験を実施する。
【０００７】
電磁ノイズ耐量試験は、開発時に制御回路２０２のみで実施する場合もあれば、出荷時に制御回路２０２を図１８に示すように電力変換装置２００に組み込んだ状態で行う場合もある。
【０００８】
制御回路２０２のみで電磁ノイズ耐量試験を実施する場合は、制御回路のプリント基板、これに結合されるケーブル類の実装状態、半導体変換装置の電力変換器２０１の動作によって生じる制御回路２０２の電位変動、磁界・電界の発生状況が、電力変換装置２００に組み込んだ場合と異なる。よって、これらの要因の影響を評価することができない、という問題がある。
【０００９】
一方、電力変換装置２００に組み込んだ状態で電磁ノイズ耐量試験（組み合わせノイズ試験）を行う場合は、装置がすべて完成した後でなければ試験を行えない。例えば、制御回路２０２が電力変換器２０１に先行して完成した場合、組み合わせノイズ試験の実施時期が遅れる。このような場合に、誤動作の問題が発生した場合、納期の都合上、十分な対策期間が取れなくなる、という問題がある。
【００１０】
なお、特許文献１には、電力変換器とは分野が異なる通信分野におけるイミュニティ（耐量）試験の実施方法が示されている。また、これらの分野を含めた電気機器の伝導イミュニティ試験方法は、国際規格ＩＥＣ６１０００−４−６（伝導イミュニティ試験）に規定されている。
【先行技術文献】
【特許文献】
【００１１】
【特許文献１】特開２０００−３０４７９４号公報
【発明の概要】
【発明が解決しようとする課題】
【００１２】
以上の問題を鑑みて、本発明は、組み合わせノイズ試験と同等のノイズ試験を、電力変換装置における最終製品の電力変換器を用いずに行なうことができるとともに、様々なタイプの電力変換器に汎用的に適用できる電力変換装置の試験装置を提供することを目的とする。
【課題を解決するための手段】
【００１３】
提案する第１の電力変換装置の試験装置は、１つ以上の半導体スイッチング素子により構成されて、スイッチング動作により電力変換を行なう最終製品の電力変換器と、前記１つ以上の半導体スイッチング素子に流れる主電流を制御する制御信号を生成して前記１つ以上の半導体スイッチング素子に与える制御回路と、を具備した電力変換装置を試験するものである。
【００１４】
この電力変換装置の試験装置は、前記最終製品の電力変換器に換えて用いられて、この電力変換器よりも出力容量が小さい試験用電力変換器と、前記制御回路の信号の基準となる電位部と前記試験用電力変換器の接地電位部との間にノイズ電圧を印加する高周波電圧印加装置と、により構成される。
【００１５】
前記試験用電力変換器は、商用交流電源を直流に変換する順変換回路部と、該順変換回路部の後段に設けられた系統インピーダンスを模擬する系統インピーダンス模擬部と、該系統インピーダンス模擬部の後段に設けられた、それぞれが上アームに相当する半導体スイッチング素子と、下アームに相当する半導体スイッチング素子とを有する、複数の上下スイッチングアームと、により構成される。
【００１６】
提案する第２の電力変換装置の試験装置は、前記複数の上下スイッチングアームに含まれる複数の半導体スイッチング素子について、前記最終製品の電力変換器の回路構成に合わせて、スイッチングするものとスイッチングしないものとを選別し、スイッチングするアームには、前記最終製品の電力変換器を動作させるのと同一のスイッチングパルスを入力し、スイッチングしないアームは、常時オフにしておくように動作させるものである。
【００１７】
提案する第３の電力変換装置の試験装置は、前記第１の電力変換装置の試験装置において、前記試験用電力変換器は、直流を交流に変換する逆変換回路部を備え、この逆変換回路部の出力側に、前記試験用電力変換器の出力容量よりも負荷容量の小さい負荷を接続したか、または、負荷を接続せずに開放端としたものである。
【００１８】
提案する第４の電力変換装置の試験装置は、前記第２の電力変換装置の試験装置において、前記試験用電力変換器は、前記最終製品の電力変換器と前記試験用電力変換器との電気的特性の差分を調整する差分調整部、をさらに有するものである。
【００１９】
提案する第５の電力変換装置の試験装置は、前記第４の電力変換装置の試験装置において、前記最終製品の電力変換器は、該最終製品の電力変換器を構成する１つ以上の半導体スイッチング素子を冷却する第１の冷却フィンを備え、前記試験用電力変換器は、前記最終製品の電力変換器の構成に対応した、複数の上下スイッチングアームのうちの１つ以上の半導体スイッチング素子を冷却する第２の冷却フィンを備え、前記差分調整部は、前記最終製品の電力変換器の１つ以上の半導体スイッチング素子の出力端子と前記第１の冷却フィンとの間の静電容量Ｃ０と、前記試験用電力変換器の対応する１つ以上の上下スイッチングアームに含まれる２つの半導体スイッチング素子の接続点と前記第２の冷却フィンとの間の静電容量Ｃ１と、を一致または略一致させるコンデンサを備えるものである。
【００２０】
提案する第６の電力変換装置の試験装置は、前記第４の電力変換装置の試験装置において、前記差分調整部は、前記最終製品の電力変換器を構成する１つ以上の半導体スイッチング素子の各出力端子と接地電位部との間の対地インピーダンスとそれぞれ等価なインピーダンス素子を、前記試験用電力変換器の、前記最終製品の電力変換器の構成に対応した、複数の上下スイッチングアームのうちの１つ以上の上下スイッチングアームに含まれる２つの半導体スイッチング素子の各接続点と接地電位部との間にそれぞれ接続したものである。
【００２１】
提案する第７の電力変換装置の試験装置は、前記第４の電力変換装置の試験装置において、前記差分調整部は、前記試験用電力変換器の各半導体スイッチング素子と対応する各ゲート駆動信号出力部との間にゲート抵抗を備えるか、または、前記各半導体スイッチング素子のゲート−エミッタ間にゲートコンデンサを備え、前記各ゲート抵抗の各抵抗値または前記各ゲートコンデンサの各容量を調整して、前記試験用電力変換器における各半導体スイッチング素子のオン時およびオフ時の電圧変化率を、最終製品の電力変換器において対応するそれぞれの半導体スイッチング素子のオン時およびオフ時の電圧変化率に一致または略一致させたものである。
【００２２】
提案する第８の電力変換装置の試験装置は、前記第４の電力変換装置の試験装置において、前記差分調整部は、前記試験用電力変換器の各半導体スイッチング素子と対応する各ゲート駆動信号出力部との間にゲート抵抗を備えるか、または、前記各半導体スイッチング素子のゲート−エミッタ間にゲートコンデンサを備え、前記各ゲート抵抗の各抵抗値または前記各ゲートコンデンサの各容量を調整して、前記試験用電力変換器における各半導体スイッチング素子のオン時およびオフ時の電圧変化率を、最終製品の電力変換器において対応するそれぞれの半導体スイッチング素子のオン時およびオフ時の電圧変化率より大きく設定したものである。
【００２３】
提案する第９の電力変換装置の試験装置は、前記第４の電力変換装置の試験装置において、前記最終製品の電力変換器は、該最終製品の電力変換器を構成する１つ以上の半導体スイッチング素子を冷却する第１の冷却フィンを備え、前記試験用電力変換器は、前記最終製品の電力変換器の構成に対応した、複数の上下スイッチングアームのうちの１つ以上の半導体スイッチング素子を冷却する第２の冷却フィンを備え、前記差分調整部は、前記試験用電力変換器の１つ以上の半導体スイッチング素子の出力端子と前記第２の冷却フィンとの間の静電容量Ｃ１を、前記最終製品の電力変換器の対応する１つ以上の上下スイッチングアームに含まれる２つの半導体スイッチング素子の接続点と前記第１の冷却フィンとの間の静電容量Ｃ０より大きくさせるコンデンサを備えるものである。
【００２４】
提案する第１０の電力変換装置の試験装置は、前記第１の電力変換装置の試験装置において、試験用電力変換器に供給する電源電圧を調整する電圧調整部、をさらに有するものである。
【発明の効果】
【００２５】
提案する第１の電力変換装置の試験装置によれば、最終製品の電力変換器より小さい出力容量の試験用電力変換器を用いることで、広い試験用エリアを確保する必要がなく、省スペースでありながら、接続された制御回路の配線類に発生する電位変動を、最終製品の電力変換器に接続した場合と同様にして（近似して）、組み合わせノイズ試験と同等のノイズ耐量試験を制御回路に対して行なうことができる。また、試験用電力変換器の前段に、系統インピーダンスを模擬した系統インピーダンス模擬部、をさらに有する構成とすることで、系統インピーダンスの影響を考慮したノイズ耐性試験を行なうことができる。
【００２６】
提案する第２の電力変換装置の試験装置によれば、前記複数の上下スイッチングアームは、前記最終製品の電力変換器の回路構成に合わせて、スイッチングするものとスイッチングしないものとを選別し、スイッチングするアームには、前記最終製品の電力変換器を動作させるのと同一のスイッチングパルスを入力し、スイッチングしないアームは、常時オフにしておくように動作させることで、試験装置を、様々なタイプの電力変換器に汎用的に適用できるものとすることができる。
【００２７】
提案する第３の電力変換装置の試験装置によれば、逆変換回路部の出力側に、試験用電力変換器の出力容量よりも負荷容量の小さい負荷を接続するか、または、負荷を接続せずに開放端としても、電力変換器の半導体スイッチング素子のオン、オフによる電圧変動については、負荷を接続した場合と同様なノイズ耐量試験を実施できるために、試験用エリアをさらに省スペース化することが可能となる。
【００２８】
提案する第５の電力変換装置の試験装置によれば、試験用電力変換器の１つ以上の半導体スイッチング素子の出力端子と冷却フィンとの間に電気的特性の差分を調整するコンデンサを設けることで、最終製品の電力変換器の対応する１つ以上の半導体スイッチング素子の出力端子と冷却フィンとの間の浮遊容量を考慮したノイズ試験が実施できる。
【００２９】
提案する第６の電力変換装置の試験装置によれば、インピーダンス素子を試験用電力変換器における１つ以上の半導体スイッチング素子の出力端子と接地電位部との間に接続することで、最終製品の負荷（モータ等）の浮遊インピーダンスを考慮したノイズ試験が実施できる。
【００３０】
提案する第７の電力変換装置の試験装置は、試験用電力変換器の各半導体スイッチング素子のオン時およびオフ時の電圧変化率を、最終製品の電力変換器において対応するそれぞれの半導体スイッチング素子のオン時およびオフ時の電圧変化率に一致または略一致させた場合には、その電圧変化率に比例するノイズを一層正確に再現することができ、ノイズ耐量評価の妥当性を高めることができる。提案する第８の電力変換装置の試験装置は、試験用電力変換器の各半導体スイッチング素子のオン時およびオフ時の電圧変化率を、最終製品の電力変換器において、対応するそれぞれの半導体スイッチング素子のオン時およびオフ時の電圧変化率より大きく設定した場合、要求される耐量より更に厳しい条件で試験を行なうことができ、より高い信頼性を実現することができる。
【００３１】
提案する第９の電力変換装置の試験装置は、試験用電力変換器における電源電圧Ｖ１を、最終製品の電力変換器における電源電圧Ｖ０より低く設定した場合において、差分調整部が、上記試験用電力変換器の１つ以上の半導体スイッチング素子の出力端子と上記第２の冷却フィンとの間の静電容量Ｃ１を、上記最終製品の電力変換器の対応する１つ以上の半導体スイッチング素子の出力端子と上記第１の冷却フィンとの間の静電容量Ｃ０より大きく設定させるコンデンサを備える構成の場合には、試験用電力変換器における電源電圧Ｖ１を最終製品の電力変換器における電源電圧Ｖ０より低く設定することによって、コモンモード電流Ｉｃが最終製品よりも小さくなることを避けることができ、ノイズ耐量について条件が緩和してしまうのを避けることができる。
【００３２】
提案する第１０の電力変換装置の試験装置は、試験用電力変換器に供給する電源電圧を調整する電圧調整部、を更に有する構成とすることで、その電力変換器の試験装置を、用途の異なる多種多様な設置条件・出力形態を持つ最終製品の電力変換器に対して更に汎用的に適用できるものとすることができる。
【図面の簡単な説明】
【００３３】
【図１】本発明の一実施形態に係る電力変換装置の試験装置の構成図である。
【図２】図１の電力変換装置の試験装置において、インバータ回路の出力端と放熱フィンとの間にコンデンサを設けた図である。
【図３】図１の電力変換装置の試験装置において、インバータ回路の出力端とグランドとの間に対地インピーダンス素子を設けた図である。
【図４】図１の電力変換装置の試験装置において、整流回路の出力端とグランドとの間にインピーダンス素子を設けた図である。
【図５】本実施形態の試験装置における電圧を調整する構成（その１）を示す図である。
【図６】本実施形態の試験装置における電圧を調整する構成（その２）を示す図である。
【図７】本実施形態の試験装置における電圧を調整する構成（その３）を示す図である。
【図８】基準となるインピーダンスを供給する系統インピーダンス模擬部の構成（その１）を示す図である。
【図９】基準となるインピーダンスを供給する系統インピーダンス模擬部の構成（その２）を示す図である。
【図１０】インピーダンスを可変に設定できる機能を持たせた系統インピーダンス模擬部の構成を示す図である。
【図１１】本実施形態に係る電力変換装置の試験装置の変形例の構成図である。
【図１２】最終製品の一例としてのフライバックコンバータの構成図である。
【図１３】図１２の構成の最終製品（電力変換器）に対応した試験装置の構成例である。
【図１４Ａ】試験用電力変換器において、インバータ回路の出力端と放熱フィンとの間にある浮遊容量を、そのインバータ回路の出力端と放熱フィンとの間に設けたコンデンサとともに示した概念図である。
【図１４Ｂ】試験用電力変換器において、インバータ回路の出力端の電流および電圧の時間波形と、そのインバータ回路のスイッチング素子のターンオン時、ターンオフ時に流れるコモンモード電流の時間波形とを示した図である。
【図１５】試験用電力変換器において、インバータ回路のあるスイッチング素子とゲート駆動回路との間に接続されるゲート抵抗、および、そのスイッチング素子のゲート−エミッタ間に接続されるゲートコンデンサを示した図である。
【図１６】最終製品および試験装置において、インバータ回路の出力端の電流および電圧の時間波形と、そのインバータ回路のスイッチング素子のターンオン時、ターンオフ時に流れるコモンモード電流の時間波形とをそれぞれ示した図（その１）である。
【図１７】最終製品および試験装置において、インバータ回路の出力端の電流および電圧の時間波形と、そのインバータ回路のスイッチング素子のターンオン時、ターンオフ時に流れるコモンモード電流の時間波形とをそれぞれ示した図（その２）である。
【図１８】従来の電力変換装置の試験方法を示す図（その１）である。
【図１９】従来の電力変換装置の試験方法を示す図（その２）である。
【発明を実施するための最良の形態】
【００３４】
以下、図面に基づいて、本発明の実施形態についての詳細を説明する。なお、本願は、特願２００８−３２８８４５号を利用する。
図１は、本発明の一実施形態に係る電力変換装置の試験装置の構成図である。
【００３５】
図１に示す、本実施形態の電力変換装置１０は、最終製品の電力変換器より小さい出力容量を有する試験用電力変換器１１と、その試験用電力変換器１１を制御する制御回路１２によって構成される。この図１に示す制御回路１２は、図１８のように、最終製品の電力変換器に接続されるのではなく、最終製品の電力変換器より小さい出力容量の試験用電力変換器１１に接続される。
【００３６】
試験用電力変換器１１は、与えられた交流電圧をダイオードブリッジにより構成した整流回路１３により整流し、平滑コンデンサ１４により平滑化された直流電圧を複数の半導体スイッチング素子１５−１、１５−２、１６−１、１６−２、１７−１、１７−２により構成される三相インバータ回路１８により交流電圧に変換して、負荷（モータ等）２３に出力する。なお、図１において、負荷２３が破線で示されているのは、後述するように、負荷を接続しない場合もあるからである。電流センサ１９−１、１９−２は、三相インバータ回路１８のｕ相の出力端とｗ相の出力端に流れる交流電流をその大きさに応じた検出電圧（交流電圧）に変換し、電流検出信号として制御回路１２に出力する。
【００３７】
制御回路１２は、整流回路１３により整流された直流電圧と、試験用電力変換器１１が出力する交流電流の大きさに対応した検出電圧とにより、各半導体スイッチング素子のゲート電圧を制御するゲート駆動信号を生成し、各ゲート駆動回路（図１では、半導体スイッチング素子１５−１、１５−２に対応するゲート駆動回路２１−１、２１−２だけが図示され、後は省略されている）に出力する。
【００３８】
そして、図１に示すように、高周波電圧印加装置２２により、制御回路１２の信号の基準となる電位部と、試験用電力変換器１１の接地電位部（図１では、筺体等金属２４をグランドとしている）との間に数ｋＶのノイズ電圧を印加して、制御回路１２が誤動作しないことを確認する電磁ノイズ耐量試験を実施する。なお、以上の説明では、試験用電力変換器１１は、交流電圧を入力し、整流する構成であったが、整流回路１３を廃し、交流電圧の代わりに直流電圧を入力する構成をとることも可能である。
【００３９】
例えば、最終製品の電力変換器が、入力された交流電圧を直流電圧に変換する整流回路と、この整流回路から出力される直流電圧を平滑する平滑コンデンサとを有するコンバータ回路を備え、このコンバータ回路から出力される直流電圧をその最終製品の電力変換器のインバータ回路に直流電圧として与える場合、試験用電力変換器１１も、図１に示すように、入力された交流電圧を直流回路に変換する整流回路１３と、この整流回路１３から出力される直流電圧を平滑する平滑コンデンサ１４とを有する試験用コンバータ回路を備え、この試験用コンバータ回路から出力される直流電圧を試験用の三相インバータ回路１８に直流電圧として与えることが好ましい。
【００４０】
なお、上記した制御回路１２の信号の基準となる電位部とは、制御回路１２内のＣＰＵ（Central Processing Unit）のシグナルグランド、制御回路１２内の絶縁部分（すなわち、他の回路部分とは絶縁した箇所にある導電部）のシグナルグランド、等である。最終製品の電力変換器が数百Ｖの電圧で動作するのに対して、制御回路１２内のこれらの部位は、数Ｖの電圧で動作するため、誤動作が発生しやすくなっている。なお、シグナルグランド以外にも試験対象の電力変換装置における回路上の任意の点を基準電位部と定めて試験してもかまわない。
【００４１】
電力変換器の出力容量は、負荷容量に応じて決まる。すなわち、負荷に印加すべき電圧、通流すべき電流が電力変換器にも課せられる。これにより、電力変換器の主要な構成部品（半導体スイッチング素子等の能動部品や、リアクトル等の受動部品の定格容量、これら部品の冷却のための冷却フィンの大きさ、通風のためのファンの大きさ、等）の仕様が決まる。これら電力変換器の構成部品は一般に定格容量が大きいほど、発生する損失（すなわち熱量）が大きくなり、その損失に耐えることを主な理由として寸法が増大する。
【００４２】
例えば、半導体スイッチング素子について述べると、通電すべき電流にほぼ比例して、半導体スイッチング素子の半導体部分の面積は増大する。また、半導体スイッチング素子に電流が通電することによって発生する熱量は、半導体スイッチング素子の外に逃がして半導体スイッチング素子の温度が高温にならないようにする必要があるが、その熱量は、半導体スイッチング素子の印加電圧と通電電流とに比例する。このため、半導体スイッチング素子で発生した熱を放熱するための冷却用部品も、半導体スイッチング素子の面積の増加に伴い、大型化する。
【００４３】
例えば、モータ駆動用の汎用インバータの場合、５．５ｋＷのものの体積が約１０，０００ｃｍ３であるのに対し、５５ｋＷのものの体積は約７０，０００ｃｍ３である。
このことを逆の方向から見ると、精度が高いノイズ耐量試験を行なうために、最終製品と同等の大きな出力容量を有する電力変換器と制御回路１２とを接続するには、試験用に広いエリアを確保しなければならない、ということである。これは、コスト面、試験装置作成の手間などから困難である。
【００４４】
また、図１の構成では、最終製品の電力変換器と同様の構成を有し、より小さい出力容量を有する試験用電力変換器１１を用いることで、試験用の広いエリアを確保する必要がなく、省スペースで、接続された制御回路１２の配線類に発生する電位変動（ノイズ）を、最終製品の電力変換器に接続した場合と同様にする（近くする）ことが可能になる。
【００４５】
なお、図１の試験用電力変換器１１の回路構成は、最終製品の電力変換器と同じでもよいが、半導体スイッチング素子をオン、オフすることによって、接続された制御回路１２の配線類に発生するノイズが最終製品の電力変換器に接続した場合と同等になる範囲で異なる回路方式としてもよい。このような構成であれば、少なくともノイズを模擬したノイズ耐量試験を行なうことができる。
【００４６】
一方、制御回路については、電力変換器の所定の性能、機能を実現するためのロジックに基づいて構成され、電力変換器の出力容量とはあまり関係ない。したがって、制御回路の寸法は、電力変換器の出力容量にほとんど依存しない。例えば、上述の例の５．５ｋＷの汎用インバータと、５５ｋＷの汎用インバータとを同一の制御回路によって動作させることは可能である。
【００４７】
すなわち、図１の制御回路１２は、最終製品に使用予定のものである。上述の高周波電圧印加装置２２により、制御回路１２の基準となる電位部と、試験用電力変換器１１の接地電位部との間に数ｋＶのノイズ電圧を印加して、制御回路１２が誤動作した場合（例えば、制御回路１２内のＣＰＵが暴走し、安全装置により装置が停止した場合）、制御回路１２の改良が行われる。
【００４８】
なお、電力変換器が制御回路に及ぼす電磁ノイズの影響の主要なものの１つに、電力変換器の電圧変化すなわち電力変換器の半導体スイッチング素子をオン、オフすることによって発生する電圧の変動がある。
【００４９】
この電圧変動は、電力変換器が負荷電流を通電しなくても、通電した場合と同様に発生する。このことを利用して、図１の試験用電力変換器１１によるノイズ耐量試験において、試験用電力変換器１１に負荷を接続せず、試験用電力変換器１１の三相インバータ回路１８の出力信号が通る導体の先端を開放したり、または、試験用電力変換器１１の出力容量より小さい出力容量を有する負荷を接続して、試験用電力変換器１１の三相インバータ回路１８に流れる電流を小さくしたりする。
【００５０】
このようにしても、電圧変動については、規定の負荷を接続した場合とほぼ同様なノイズ耐量試験を行なうことができる。
なお、負荷を接続する場合は、負荷の設置場所の確保が必要となるだけでなく、負荷の消費電力を熱に変換したり、電源に回生させたりする必要がある。そして、このことに伴って、冷却装置が大規模化したり、電源に回生させるための専用の装置が必要になったりし、煩雑である。提案する手法を用いることで、これらの問題が解決する。
【００５１】
半導体電力変換器では、一般に、半導体スイッチング素子に放熱フィンを取り付けて用いる。放熱フィンは一般に接地される。ここで、放熱フィンと半導体スイッチング素子との間には浮遊容量が存在し、この浮遊容量を介して半導体スイッチング素子をオン、オフした場合に電流が流れる。これが所謂、コモンモード電流であり、電磁ノイズの要因である。そこで、図１の試験用電力変換器１１として、最終製品の電力変換器より出力容量が小さい半導体スイッチング素子を用いる場合、出力容量の違いに起因する浮遊容量の違いを考慮する必要がある。
【００５２】
一般に、出力容量の大きなスイッチング素子のチップは面積が大きく、したがって浮遊容量も大きい。浮遊容量の値は、代表的なスイッチング素子であるＩＧＢＴ（絶縁ゲートバイポーラトランジスタ）において、６００Ｖ、１２０Ａのもので数百ｐＦである。コモンモード電流の大きさは、印加電圧の振幅、時間変化率、および、浮遊容量の大きさにより決まる。よって、前二者（印加電圧の振幅、時間変化率）を回路設計や調整で最終製品の電力変換器と合わせても、浮遊容量の大きさについては、スイッチング素子の出力容量が異なりチップの面積も異なるため、そのままでは最終製品の電力変換器と合わせることはできない。出力容量が試験用より大きい最終製品の電力変換器の方が、コモンモード電流が大きくなり電磁ノイズの条件として厳しくなる。すなわち、試験用電力変換器１１の方が電磁ノイズの条件として緩くなり、最終製品の電力変換器においてノイズ耐量を満たしているかどうかが評価できない恐れがある。
【００５３】
この問題は、図１の試験用電力変換器１１において、図２に示すように、三相インバータ回路１８のブリッジの出力端（各相の上アームと下アームとの間）と放熱フィン２５との間に、最終製品の電力変換器と試験用電力変換器１１との電気的特性の差分（ここでは浮遊容量）を調整する差分調整部を構成するコンデンサ２６、２７、２８を付加することにより解決できる。
【００５４】
すなわち、最終製品の電力変換器における三相インバータ回路の各相の半導体スイッチング素子と放熱フィンとの間の浮遊容量Ｃ１と、試験用電力変換器１１における三相インバータ回路１８の各相の半導体スイッチング素子と放熱フィン２５との間の浮遊容量Ｃ２と、の差分の静電容量Ｃ３（＝Ｃ１−Ｃ２）を持つコンデンサ２６、２７、２８を浮遊容量と並列に接続する。
【００５５】
これにより、試験用電力変換器１１における三相インバータ回路１８の出力端と三相インバータ回路１８を構成する半導体スイッチング素子が取り付けられた放熱（冷却）フィン（第２の放熱フィン）２５との間の静電容量を、最終製品の電力変換器における三相インバータ回路の出力端と放熱フィン（第１の放熱フィン）との間の静電容量に一致または略一致させることができ、最終製品の電力変換器の三相インバータ回路と放熱フィンとの間の浮遊容量を考慮したノイズ試験を実施できる。
【００５６】
なお、コンデンサのインピーダンスは周波数特性を有し、高周波帯域では、寄生インダクタンスの影響でコンデンサとして作用しなくなるため、問題となる周波数帯域におけるインピーダンス特性が、最終製品の電力変換器を接続した場合の浮遊容量に近くなるようなコンデンサを選定する必要がある。
【００５７】
半導体電力変換器に接続される負荷（モータ等）は、対地インピーダンス（浮遊インピーダンス）を有することが多い。このため負荷の筺体やフレームが接地されている場合には、負荷の電流通電部と筺体やフレームとの間の浮遊容量を介して、負荷の対地電圧の変化に応じた電流が流れる。この電流は、コモンモード電流に相当し、電磁ノイズの一因となる。したがって、この部分を最終製品の電力変換器を接続した条件に合わせることが、ノイズ耐量のより高精度の評価にとっては望ましい。
【００５８】
この問題は、図３に示すように、負荷の対地インピーダンスと等価なインピーダンス素子３１、３２、３３を、試験用電力変換器１１における三相インバータ回路（ブリッジ回路）１８の各相の出力端と接地電位部との間に接続し、差分調整部とすることにより解決できる。負荷の対地インピーダンスは、一般に負荷インピーダンスと比較して十分に大きいため、消費電力が問題にならない小容量のインピーダンス素子を用いれば足りる。
【００５９】
なお、負荷の対地インピーダンスとしては、一般にある周波数までは浮遊容量の容量成分が現れ、その周波数以降は寄生インピーダンスの誘導成分が現れる。さらに周波数が高まると、様々な部位の容量成分、誘導成分が現れ、複雑なインピーダンス特性を示す。提案する試験においては、少なくとも静電容量と寄生インピーダンスに相当する部分の模擬が必要である。それ以上の周波数におけるインピーダンスについては、電磁ノイズへの影響を考慮して模擬する。
【００６０】
いずれにしても、事前に、その出力端に導体を介して接続される負荷（モータ等）の浮遊インピーダンスの周波数特性を最終製品の電力変換器におけるインバータ回路の出力端と接地電位部とから見た周波数特性として計測しておき、その計測データに適合した試験装置を構成するような値が設定された、コンデンサ、コイル、抵抗、等を用いたネットワーク回路によって、図３に示す各インピーダンス素子を構成し、差分調整部とすればよい。このような技術については、下記文献に述べられている。
【非特許文献１】佐々木、玉手、鳥羽：「多重共振点を持つ受動素子の広帯域モデル化法」、平成１９年電気学会全国大会講演論文集、４−０４１（２００７）
【００６１】
上述の負荷の対地インピーダンスと同様に、電源側のインピーダンスもノイズ特性に大きな影響を及ぼす。したがって、試験用電力変換器１１において電源側のインピーダンスを最終製品の電力変換器を接続した場合と合わせることが望ましい。
【００６２】
このことは、電源側に相当するインピーダンス素子を接続することで達成できる。すなわち、図４に示すように、電源側については、対地インピーダンス３５と、電源３９のインピーダンス３６、３７、３８とを加えた差分調整部を設けて模擬することが望ましい。
【００６３】
以上に示した、半導体スイッチング素子と放熱フィン間の浮遊容量、負荷および電源のインピーダンスを模擬する手法のうち、複数の手法を組み合わせてノイズ耐量試験を行なうことも可能である。これらの手法は、それぞれの要因の影響度を考慮し、必要なものを用いればよい。これにより、最終製品の電力変換器を接続した場合に近い条件で制御回路１２のノイズ耐量を評価することができる。
【００６４】
また、最終製品の電力変換器において、入力電圧、相数の条件は多様にあり、試験対象としての制御回路はこの最終製品の電力変換器と組み合わせて使用する前提で設計されている。そのため、後述する一部の実施例の主張とは異なるが、本実施形態の１つの変形例として、制御回路の動作を最終製品の電力変換器に接続された状態に近い状態で評価するために、試験用電力変換器に供給する電圧を最終製品の電力変換器に供給する電圧と同等となるように調整できる構成を、試験用電力変換器が持つことが望ましい。これにより、電力変換器の試験装置を、用途の異なる多種多様な設置条件・出力形態を持つ最終製品の電力変換器に対して汎用的に使用できるものとすることができる。
【００６５】
電圧を調整する構成について、図５および図６を参照して説明する。
図５は、電圧調整機能を有する出力電圧可変の単巻変圧器（例えば、スライダック（登録商標））５１を、系統電源（交流電源）５２と整流回路１３との間に設けた構成を示した図である。
【００６６】
図５では、系統電源５２が出力する交流電圧を出力電圧可変の単巻変圧器５１が入力して、それを所望とする電圧まで昇圧して、出力電圧可変の単巻変圧器５１から整流回路１３に出力している。なお、図５の構成において、当然のこととして、出力電圧可変の単巻変圧器５１を用いて、所望とする電圧まで降圧することも可能である。
【００６７】
所望とする電圧まで昇圧する出力電圧可変の単巻変圧器がない場合、図６に示すように、図５の構成に対し、巻数比固定の昇圧トランス５５を、出力電圧可変の単巻変圧器５１と整流回路１３の間に設ける。そして、所望とする電圧より小さい値の電圧まで、出力電圧可変の単巻変圧器５１により昇圧し、出力電圧可変の単巻変圧器５１の出力を、昇圧トランス５５に入力して、それを所望とする電圧まで昇圧して、昇圧トランス５５から整流回路１３に出力する。
【００６８】
整流回路の最大直流出力電圧は、整流回路１３の入力交流電圧の線間電圧となることから、必要な最大直流電圧が整流回路１３に出力できるように逆算をして、昇圧トランス５５の巻数比を決定する。
【００６９】
図５および図６に示す構成の場合、電圧調整部分には半導体を使用していないことから、スイッチングに起因するノイズの発生はなく、試験装置による正確なノイズ耐量の評価が可能となる。
【００７０】
一方、電圧調整部分を、整流回路１３の後段に設けるために、調整する電圧が直流電圧になるものの、昇降圧チョッパ回路５７を用いても電圧を調整することができる。
昇降圧チョッパ回路５７は、図７に示すように、整流回路１３による整流後の直流電圧を平滑コンデンサ５９により平滑化して、その平滑コンデンサ５９の出力を昇降圧する。この昇降圧チョッパ回路５７は、その平滑コンデンサ５９の他に、スイッチング素子６１、リアクトル６２、ダイオード６３、コンデンサ６５により構成される。そして、スイッチング素子６１を駆動するゲート信号のデューティー比を調整することにより、後段の回路部分へ出力する電圧を昇降圧チョッパ回路５７の入力電圧よりも低くすることも高くすることも可能である。さらに、この昇降圧チョッパ回路５７は構成が簡単なことから、これを使用することにより、試験装置の規模の小型化・軽量化に貢献することができるという利点がある。
【００７１】
しかし、昇降圧チョッパ回路５７はスイッチング素子６１を含んでいて、このスイッチング素子６１のスイッチングにより、出力電圧（直流電圧）を調整している。このため、この昇降圧チョッパ回路５７自身もスイッチングに起因するノイズの発生源となっている。そして、この昇降圧チョッパ回路５７の発生するノイズにより、試験時に使用する制御回路（これは、最終製品でも使用されるものである）が誤動作する可能性がある。この場合の制御回路の誤動作は、最終製品の電力変換器を模擬した試験用電力変換器によるものではない。
【００７２】
このように、昇降圧チョッパを構成するスイッチング素子をスイッチングすることで、試験用電力変換器に供給する電圧を調整する場合には、昇降圧チョッパ自体のノイズを低減する対策をとることが必要となる。
【００７３】
試験装置の設置場所の系統インピーダンス（これの主要な部分は、配線の長さ、配線の断面積等で決まるＣ成分およびＬ成分である）は一定ではないため、同一条件で運転していても設置場所によりノイズ耐性試験をクリアできる場合とできない場合が生じる恐れがある。そこで、試験装置には設置場所に依存しない基準となるインピーダンスを供給する系統インピーダンス模擬部を持たせる必要がある。一方、例えば、最終製品の納品先の設置場所において設置場所特有の問題が生じた場合には、その最終製品の設置条件を別の場所（例えば、ノイズ耐性試験の実施場所）においても忠実に模擬する構成が必要である。本実施形態では、このような２つの課題に対応した系統インピーダンス模擬部を提案する。
【００７４】
以下では直流中間電圧の調整機能として、図５または図６に示す構成を使用した場合を前提として説明する。
まず、基準となるインピーダンスを供給する系統インピーダンス模擬部について説明する。
【００７５】
直流中間電圧を調整する機能として、図５または図６に示すように、出力電圧可変の単巻変圧器５１や巻数比固定の昇圧トランス５５を使用する場合、単巻変圧器５１や昇圧トランス５５のインピーダンスが大きいため、それより系統側（電源側）に設置したインピーダンスは、ほとんど回路に影響を与えなくなる。このような構成の場合、系統インピーダンス模擬部を、図５または図６に示した直流中間電圧の調整部分よりも後段に設けることで、系統インピーダンスの影響を考慮したノイズ耐性試験を行なうことができる。
【００７６】
ここで、通常系統電源は交流であるが、本実施形態では、直流部に系統インピーダンス模擬部を設置するため、系統インピーダンス模擬部内のインピーダンス素子の回路定数は、交流のものを直流の相当するものに変換して決める必要がある。
【００７７】
系統インピーダンス模擬部の構成として、本実施形態では、擬似電源回路網（ＬＩＳＮ、Line Impedance Stabilization Network）を使用する。通常、ＬＩＳＮは、交流での使用を前提としているが、上記したように、本実施形態の試験装置では、整流回路、平滑回路の後段に接続して使用している。
【００７８】
図８および図９に、系統インピーダンス模擬部として、ＬＩＳＮを使用した構成例を示す。
図９に示す構成では、電圧供給線（図中では「Ｐ」および「Ｎ」として表記される）にリアクトル８５、８６を接続して、ノーマルモードに対する高周波インピーダンスを高くしている。また、接地コンデンサ８７、８８により、高周波のコモンモードノイズのバイパス経路を確保することで、系統側へ漏洩する高周波成分を抑制している。また、図中、ＦＧはフレームグランドを示している。
【００７９】
また、図９において、コモンモード経路のインピーダンスばらつきを低減するために、ＬＩＳＮの対地インピーダンス部分は線間コンデンサ直列回路（線間コンデンサ９１−１、９１−２、９２−１、９２−２により構成される回路）の中点に接続し、線間コンデンサを用いて分流する構成としている。つまり、ＬＩＳＮの対地インピーダンスの回路定数は、コモンモード等価回路を構成することで変形できる。例えば、この図９の構成では、最終製品が三相入力機器の場合、各容量成分Ｃを交流の場合と比較して３倍、各抵抗成分Ｒを交流の場合と比較して１／３倍にし、単相入力機器の場合、各容量成分Ｃを２倍、各抵抗成分Ｒを１／２倍にすればよい。また、直流中点を形成する線間コンデンサは、対地インピーダンスへの影響を十分小さくするために、接地コンデンサの静電容量に対し、約１０倍以上の値のものを使用するとよい。すなわち、線間コンデンサ９１−１、９１−２の容量を、接地コンデンサ８７の容量の約１０倍以上の値に設定し、線間コンデンサ９２−１、９２−２の容量を、接地コンデンサ８８の容量の約１０倍以上の値に設定する。
【００８０】
リアクトルについても図９の構成では同様に、コモンモード等価回路を構成して定数変換すると、通常のＬＩＳＮの部品定数に対して、最終製品が三相入力機器の場合２／３倍、単相入力機器の場合１倍（変換の必要なし）にすればよい。
【００８１】
また、図８に示す構成では、電圧供給線にリアクトル７１、７２を接続して、ノーマルモードに対する高周波インピーダンスを高くしている。また、接地コンデンサ７４、７５、７７、８１により、高周波のコモンモードノイズのバイパス経路を確保することで、系統側へ漏洩する高周波成分を抑制している。回路定数の選定は図９で説明した場合と同様に行なう。
【００８２】
図８および図９の構成は、ＬＩＳＮによって、系統側と回路側で高周波信号を分断し、設置場所の系統インピーダンスの影響を受けず、一定のインピーダンスで試験することを保証するものである。
【００８３】
ＬＩＳＮは通常雑音端子電圧測定に使用する機器であるものの、上記のように、回路に一定のインピーダンスを供給することができるので、基準となるインピーダンスを供給する系統インピーダンス模擬部の構成として使用可能である。
【００８４】
一方では、最終製品の設置場所の系統インピーダンスを別の場所においても模擬するために、系統インピーダンス模擬部にインピーダンスを任意（可変）に設定できる機能を持たせる必要がある。
【００８５】
図１０は、インピーダンスを可変に設定できる機能を持たせた系統インピーダンス模擬部の構成を示す図である。
図１０において、電源のノーマルモードインピーダンス９４−１、９４−２と、対地インピーダンス９５、９６の他に、平滑コンデンサ１４より上流側の影響を小さくする目的で、電源のノーマルモードインピーダンス模擬部（インピーダンス９４−１、９４−２により構成される回路）より十分大きな（５〜１０倍）インピーダンス９３−１、９３−２を接続し、これらのインピーダンスの値を可変とする。
【００８６】
このように、任意にインピーダンスを設定できる機能を持たせたことにより、出荷後の製品にノイズトラブルが生じた場合に、別の場所においても、系統インピーダンス模擬部のインピーダンスを調整することで、設置条件を再現することができるため、原因究明に役立つ。
【００８７】
また、ここでは、図示しないが、直流中間電圧の調整機能として、図７に示すような昇降圧チョッパ回路５７を用いた場合でも、その昇降圧チョッパ回路５７の後段に図８、９、１０に示すような系統インピーダンス模擬部を設けることができる。
【００８８】
これまでは、最終製品の電力変換器の回路構成（主回路構成）が、コンバータ（順変換回路）、平滑コンデンサ、インバータ（逆変換回路）であり、順変換回路については、スイッチング素子を使用しない場合（例えばダイオードブリッジによる場合）を扱ってきた。しかし、順変換回路にスイッチング素子を使用した場合は、順変換回路がそのスイッチング素子のスイッチングにより発生したノイズも、逆変換回路同様に考慮する必要がある。
【００８９】
図１１は、本実施形態に係る電力変換装置の試験装置の変形例の構成図である。
図１１の構成は、図１の構成に対し、整流回路１３とその前段、高周波電圧印加装置２２、筺体等金属２４が省略されている。また、図１の三相インバータ回路１８の代わりに、ブリッジ回路（順変換回路）１００およびブリッジ回路（逆変換回路）１１０が設けられている。また、平滑コンデンサ１４と順変換回路１００との間に、系統インピーダンス模擬部が設けられている。順変換回路１００は最終製品の順変換回路部を意味する。その最終製品の順変換回路部は、通常は、直流中間電圧が一定となるようにスイッチング時間の調整を行っている。順変換回路１００も同じパルスパターンでスイッチングを行う。スイッチングの電圧変動に伴い、上下アーム中点とＦＧ間のコンデンサに電流が流れる。
【００９０】
順変換回路１００は１つ以上の上下スイッチングアーム（図１１では、３つの上下スイッチングアーム）を有し、逆変換回路１１０は１つ以上の上下スイッチングアーム（図１１では、３つの上下スイッチングアーム）を有する。
【００９１】
順変換回路１００は、スイッチング素子（例えばＩＧＢＴ）１０１−１を上アームに持ち、スイッチング素子１０１−２を下アームに持つ上下スイッチングアームと、スイッチング素子１０２−１を上アームに持ち、スイッチング素子１０２−２を下アームに持つ上下スイッチングアームと、スイッチング素子１０３−１を上アームに持ち、スイッチング素子１０３−２を下アームに持つ上下スイッチングアームと、を有する。
【００９２】
また、逆変換回路１１０は、スイッチング素子１１１−１を上アームに持ち、スイッチング素子１１１−２を下アームに持つ上下スイッチングアームと、スイッチング素子１１２−１を上アームに持ち、スイッチング素子１１２−２を下アームに持つ上下スイッチングアームと、スイッチング素子１１３−１を上アームに持ち、スイッチング素子１１３−２を下アームに持つ上下スイッチングアームと、を有する。
【００９３】
また、インピーダンス素子１０４は、試験装置のスイッチング素子１０１−１および１０２−１の接続点と接地電位部（図中、ＦＧで示される）との間の対地インピーダンスが、最終製品の対応するスイッチング素子の出力端子と接地電位部との間の対地インピーダンスに一致するように、スイッチング素子１０１−１と接地電位部（図中、ＦＧで示される）との間に挿入されたインピーダンス素子である。インピーダンス素子１０５、１０６、１１４、１１５、１１６についても同様である。
【００９４】
制御回路１０９は、系統インピーダンス模擬部が出力する直流電圧と、（図１１には示されていないが）各上下スイッチングアームが出力する交流電流等に対応した検出電圧との入力に対して、その各上下スイッチングアームの各半導体スイッチング素子のゲート電圧を制御するゲート駆動信号を生成し、各ゲート駆動回路（図１１では、スイッチング素子１０１−１、１０１−２に対応するゲート駆動回路１０８−１、１０８−２だけが図示され、後は省略されている）に出力する。
【００９５】
本実施形態の図１１に示す変形例の構成において、複数の上下スイッチングアームのうちで、最終製品の電力変換器の回路構成に合わせて、使用するものとしないものを決め（スイッチングするものとスイッチングしないものとを選別し）、スイッチングするアームには、最終製品の電力変換器を動作させるのと同一のスイッチングパルスを入力し、スイッチングしないアームは、常時オフにしておく。これにより、図１１の構成の試験装置を、最終製品の電力変換器の回路構成が上記インバータを含むもの以外のもの（例えば後述のフライバックコンバータ）に対しても汎用的に適用できるものとすることができる。
【００９６】
最終製品の電力変換器に設けられた順変換回路（不図示）の通常動作としては、スイッチングすることによって、入力の交流電圧を直流に変換し直流中間電圧のレベルを調整している。
【００９７】
しかしながら、この最終製品の順変換回路が発生するノイズも、最終製品の逆変換回路（不図示）が発生するノイズも、スイッチング時にスイッチング素子両端に印加される電圧が変動することで発生する。そして、２レベルインバータの場合、各スイッチング素子に印加される電圧の変動幅は直流中間電圧と等しい。
【００９８】
つまり、通常、順変換回路は直流中間電圧を調整するためにスイッチングを行っているものの、ノイズ発生の観点からは、逆変換回路の動作と等価とみなすことができる。順変換回路が発生するノイズも逆変換回路が発生するノイズもスイッチング素子に直流中間電圧を供給しスイッチングさせることで再現可能である。
【００９９】
つまり、一般的な最終製品の電力変換器は、コンバータ（順変換回路）、平滑コンデンサ、インバータ（逆変換回路）の順番に接続されて構成されているが、図１１の変形例では、平滑コンデンサの後に、コンバータ（順変換回路）およびインバータ（逆変換回路）の複数の上下スイッチングアームを並列に接続する構成としている。これにより、試験装置の装置規模を小型化できる。
【０１００】
まず、図１１を参照して、最終製品の電力変換器が三相のＰＷＭコンバータ、三相のＰＷＭインバータを有する場合の試験装置による試験方法を説明する。
ここで、試験装置において、スイッチングさせる上下アーム数についても最終製品が採用している回路構成に合わせる。つまり、最終製品の電力変換器が、上記の三相のＰＷＭコンバータ、三相のＰＷＭインバータを有する場合、コンバータに相当する３つの上下アーム、インバータに相当する３つの上下アームの計６つの上下スイッチングアームをスイッチングさせる、すなわち、図１１のすべての上下スイッチングアームをスイッチングさせることになる。
【０１０１】
このとき、最終製品を動作させる場合に使用するパルスパターンを、試験装置の各スイッチング素子にゲート駆動信号として与えてスイッチングさせる。これにより、最終製品と同様のノイズを発生させることができ、最終製品の制御回路のイミュニティ（ノイズ耐量）を正確に評価する試験を行なうことが可能となる。
【０１０２】
ここで、試験装置は、最終製品と比較して軽負荷あるいは無負荷で動作させることを前提としている。このため、主に評価が可能であるのは、アースを通って伝導するノイズであるコモンモードノイズであることに注意が必要である。しかし、高周波領域においては、負荷に伝導するノイズであるノーマルモードノイズより、コモンモードノイズの方が支配的であることから、図１１に提案する試験装置の構成で、最終製品と同様にイミュニティ（ノイズ耐量）を評価することが可能である。
【０１０３】
以上では、最終製品の順変換回路がＰＷＭコンバータで構成される場合を示した。最終製品の順変換回路がＰＷＭコンバータの代わりにダイオードブリッジで構成される場合、能動的なスイッチング動作は行なわないため、順変換回路が発生するノイズは十分小さく、一般的には考慮する必要はない。この場合、インバータに相当する３つの上下アームのみ、制御回路１０９と接続しスイッチングさせ、コンバータに相当する３つの上下アームはスイッチングせずにゲート−エミッタ間を短絡し常時オフにしておく。
【０１０４】
なお、ダイオードブリッジのノイズへの影響が懸念される場合は、スイッチング素子の代わりにダイオードを用いてブリッジを構成し、ダイオードブリッジの中間点と対地間に浮遊容量に相当するインピーダンスを接続する構成とすればよい。これにより、最終製品と同じ経路が形成されるため、正確なイミュニティ（ノイズ耐量）を評価することが可能となる。
【０１０５】
上述したように、図１１の試験装置の変形例の構成が適用可能な最終製品の主回路構成はインバータに限定されるものではなく、スイッチングアームで構成された電力変換器であればよい。つまり、スイッチング素子のスイッチング動作により電力を変換する機器であればよい。
【０１０６】
続いて、図１２および図１３を参照して、最終製品の電力変換器がスイッチング素子を１つ含むフライバックコンバータ（これは、ＤＣ／ＤＣコンバータの１つである）の場合の試験装置による試験方法を説明する。なお、フライバックコンバータは、直流を直流に変換する回路であるため、直流変換回路になる。あるいは、直流を一旦交流に変換し、それを整流して直流に変換する構成の間接直流変換回路に分類される。すなわち、分類上、順変換回路や逆変換回路とは異なる。
【０１０７】
図１２に示すフライバックコンバータ１２０の回路構成では、スイッチング動作によりスイッチング素子１２２の高電位側の電位が大きく変動する。このとき、スイッチング素子１２２の高電位側とアース間の浮遊容量Ｃ１に充放電電流が流れ、コモンモードノイズが発生する。また、トランス１２１の１次巻線−２次巻線間の浮遊容量Ｃ２にも、このスイッチング素子１２２のスイッチング動作により充放電電流が流れる。この図１２では、最も大きな電流が流れる条件であるトランス１２１の２次側をアースに接続した場合を示している。
【０１０８】
図１３は、主回路部（すなわち、電力変換処理を行なう回路部分）にフライバックコンバータを使用している最終製品の制御回路１２６を図１１に示す試験装置で試験する場合を示した図である。
【０１０９】
図１３の複数の上下スイッチングアームのうち、下アーム１０１−２のゲート−エミッタ間には、最終製品のフライバックコンバータに与えるスイッチングパルスを入力する。一方、上アーム１０１−１や複数ある残りの上下スイッチングアーム１０２−１、１０２−２、・・・は、ゲート−エミッタ間を短絡し常時オフの状態にしておく。また、図１２では、浮遊容量Ｃ１，Ｃ２がコモンモード負荷に相当するため、実機を模擬するために、これら浮遊容量Ｃ１，Ｃ２と同等のインピーダンスを、図１３の試験装置が持つように、インピーダンス素子（主に容量成分を持つ）１２５を挿入する。
【０１１０】
これにより、試験装置において、最終製品のフライバックコンバータが発生するのと同等の漏れ電流（１個の半導体スイッチング素子のスイッチング動作に起因した漏れ電流）を模擬することができるようになることから、主回路のスイッチング動作により発生するノイズの影響を考慮したノイズ耐量（イミュニティ）試験を行なうことが可能となる。
【０１１１】
また、例えば図１においては、上述したように、制御回路１２に試験用電力変換器１１の出力電流の検出結果を入力させて制御する構成が示されている。例えば、出力電流のフィードバック制御を行なう場合には、図１のように、出力電流を検出して制御回路１２に入力させる必要がある。
【０１１２】
また他の方法として、出力電圧、電力変換器内部の電圧、電流などを制御、監視の目的で用いる場合には、その出力電圧、電力変換器内部の電圧、電流などを検出して制御回路に入力させる構成となる。つまり、最終製品の電力変換器において、電流、電圧の検出を検出回路で行い、制御回路に入力させているものについては、その検出回路を通じて通流するノイズ電流を試験時にも再現するために、試験用電力変換器においても同様に、その電流、電圧の検出を行い、制御回路に入力させる必要がある。
【０１１３】
以上において、本実施形態における電力変換装置の試験装置およびその変形例について詳細に説明したが、その説明の中での差分調整部、すなわち最終製品の電力変換器と試験用電力変換器との電気的特性の差分を調整するための差分調整部における回路定数決定の具体例について以下に説明する。
【０１１４】
上述したように、半導体電力変換器では、一般に、半導体スイッチング素子に放熱フィンを取り付けて用いる。放熱フィンは一般に接地される。図１４Ａは、例えば図２の試験用電力変換器１１において、インバータ回路の半導体スイッチング素子１５−１および１５−２から構成される段の出力端と放熱フィン２５との間に生じる浮遊容量（静電容量）Ｃを示した概念図である。なお、この静電容量Ｃの一部に図２に示した差分調整用のコンデンサ２６の容量も含まれている。したがって、図１４Ａには図２に示されるコンデンサ２６は図示されていない。また、この静電容量Ｃは、最終製品における、インバータ回路の対応する段の出力端と放熱フィンとの間に生じる静電容量に一致あるいは略一致する。
【０１１５】
図１４Ａに示すように、放熱フィン２５と半導体スイッチング素子１５−１および１５−２の間の出力端との間には浮遊容量Ｃが存在し、この浮遊容量Ｃを介して例えば半導体スイッチング素子１５−２をオン、オフした場合、この浮遊容量Ｃの充放電によって電磁ノイズの要因となるコモンモード電流Ｉｃが発生する。
【０１１６】
一方、半導体スイッチング素子１５−２の電圧変化率は、その半導体スイッチング素子１５−２の両端間の電圧（ソース−ドレイン間電圧）Ｖの時間変化（時間波形）を検出することにより導出できる。半導体スイッチング素子のソース−ドレイン間電圧Ｖを時間微分した（対応する出力端の電圧Ｖを時間微分した）電圧変化率ｄＶ／ｄｔは、放熱フィンと半導体スイッチング素子との間の浮遊容量Ｃの充放電によって発生するコモンモード電流Ｉｃの振幅と周波数の決定要因の一つである。
【０１１７】
図１４Ａに示すように、三相インバータ回路１８に印加される直流電圧をＥ（試験装置に印加される電源電圧が略一定で変化しない場合、直流電圧Ｅも略一定値である）とし、三相インバータ回路１８の図１４Ａに示されたスイッチングアームを流れる電流をＩとし、図１４Ａの２つのスイッチング素子の接続点の電圧をＶとすると、図１４Ｂの上のグラフに示すような時間変化を、その電流Ｉおよび電圧Ｖは示す。一般には、コモンモード電流Ｉｃの振幅と、浮遊容量Ｃと、電圧Ｖを時間微分した電圧変化率ｄＶ／ｄｔとの間には下記関係式（１）が成立する。
Ｉｃの振幅  ＝  Ｃ×（ｄＶ／ｄｔ）  ・・・（１）
図１４Ｂの上のグラフでは、電圧Ｖはターンオン時に直線的に下降するとともに、ターンオフ時に直線的に上昇しているので、ターンオン時、ターンオフ時ともに、電圧変化率ｄＶ／ｄｔが一定である。しかしながら実際の回路動作としては多くの場合、より複雑な時間変化をする。いずれにせよ、コモンモード電流Ｉｃの振幅としては、図１４Ｂの下のグラフに示すように、ターンオン時には、電圧変化率ｄＶ／ｄｔが負の値であることに対応して、Ｉｃの振幅も負の値を持ち、ターンオフ時には、電圧変化率ｄＶ／ｄｔが正の値であることに対応して、Ｉｃの振幅も正の値を持つ。
【０１１８】
コモンモード電流Ｉｃの通電時間Ｔについては、印加される直流電圧Ｅ、電圧変化率ｄＶ／ｄｔとの間に下記関係式（２）が成立する。
Ｔ  ＝  Ｅ／（ｄＶ／ｄｔ）  ・・・（２）
なお、コモンモード電流Ｉｃはスイッチング素子のターンオン時と、ターンオフ時に通流する。（２）式は、ターンオン時の通電時間Ｔｏｎと、ターンオフ時の通電時間Ｔｏｆｆとをそれぞれ求めるときに適用する式であるということができる。
【０１１９】
また、（２）式において、スイッチング素子のターンオン時と、ターンオフ時における通電時間の間、電圧変化率ｄＶ／ｄｔの値は、一般には一定ではなく変化する。このため、（２）式のｄＶ／ｄｔの値としては、電圧変化率ｄＶ／ｄｔの代表値を使用することになる。代表値の決め方には様々な方法がある。例えば、通電時間の間において、電圧の上限値と下限値により定まる電圧変化の区間を求め、その電圧変化の区間の１０％と９０％の間（これを、ここではΔＶとする）に対応する時間軸上の区間（これを、ここではΔｔとする）に対し、ΔＶ／Δｔを電圧変化率の代表値として定義する。
【０１２０】
上記関係式（１）より、電圧変化率ｄＶ／ｄｔが大きくなると、コモンモード電流Ｉｃの振幅が大きくなることが分かる。また、上記関係式（２）より、電圧変化率ｄＶ／ｄｔが大きくなると、通電時間Ｔが短くなることが分かる。つまり、電圧変化率ｄＶ／ｄｔが大きくなることによって、コモンモード電流Ｉｃの振幅が大きくなって、かつ、パルス幅が狭くなり、結果として、高周波成分を多く含みノイズが大きくなることが分かる。
【０１２１】
このように、電圧変化率ｄＶ／ｄｔとノイズは比例関係にあるので、この電圧変化率ｄＶ／ｄｔを試験装置と最終製品とで一致あるいは略一致させることで、試験装置におけるノイズ耐量評価の妥当性を高めることができる。
【０１２２】
次に、図１５を参照して、電圧変化率ｄＶ／ｄｔの調整方法について説明する。
図１５において、ゲート抵抗１３１は、試験用電力変換器の半導体スイッチング素子（例えばＩＧＢＴ）１３３とゲート駆動回路（ゲート駆動信号出力部）１２８との間に接続される抵抗であり、ゲートコンデンサ１３２は、そのスイッチング素子１３３のゲート−エミッタ間に接続されるコンデンサである。
【０１２３】
図１５のスイッチング素子１３３は、例えば図２の半導体スイッチング素子１５−１、１５−２、１６−１、１６−２、１７−１、１７−２のいずれか、あるいは、図１１のスイッチング素子１０１−１、１０１−２、１０２−１、１０２−２、１０３−１、１０３−２、１１１−１、１１１−２、１１２−１、１１２−２、１１３−１、１１３−２のいずれかに対応する。
【０１２４】
スイッチング素子１３３としてＩＧＢＴを用いる場合、ゲート抵抗１３１の抵抗値が小さいほど電圧変化率ｄＶ／ｄｔは大きくなり、ゲートコンデンサ１３２の容量が小さいほど電圧変化率ｄＶ／ｄｔは大きくなる。
【０１２５】
例えば、コモンモード電流Ｉｃの通電時間を長くする場合、電圧変化率ｄＶ／ｄｔは小さくなることになる。抵抗とコンデンサの双方を使用する場合、動作安定性を確保するために、ゲート抵抗１３１の抵抗値はそれほど大きくせずに、ゲートコンデンサ１３２の容量を大きめにとり、電圧変化率ｄＶ／ｄｔを小さくする。なお、ゲート抵抗１３１、ゲートコンデンサ１３２のいずれか一方のみを追加して、電圧変化率ｄＶ／ｄｔを調整するようにしてもよい。
【０１２６】
また、上述したように、電圧変化率ｄＶ／ｄｔが大きいほど、ノイズが大きくなり、ノイズ耐量の観点から条件が厳しくなる。したがって、試験装置においてあえて電圧変化率ｄＶ／ｄｔを最終製品よりも大きくし、試験条件を厳しくすることも可能である。このようにすることによって、要求されるノイズ耐量よりも更に厳しい条件下でもノイズ耐量が確保でき、より高い信頼性が実現できる。
【０１２７】
なお、以上のような電圧変化率ｄＶ／ｄｔの調整を簡便に行なうために、ゲート抵抗として抵抗値が可変の可変抵抗を用いてもよい。または、ゲートコンデンサとして可変容量コンデンサを用いてもよい。あるいは、ゲート抵抗やゲートコンデンサを簡便に付け替えることが可能な構成としてもよい。
【０１２８】
また、最終製品においては、電源電圧として様々な値のものが用いられる。例えば１００Ｖの場合もあれば、数ｋＶの場合もある。特に電源電圧が高い場合は、安全上、機能上、特別な配慮（代表的には、絶縁性能確保のための寸法や材料の制約）が必要である。また、装置の試験にも相当程度の慎重さが要求される。このことは直ちに、試験費用、試験期間の増大につながる。
【０１２９】
この問題は、今回提示する試験装置において、最終製品よりも低い電源電圧で試験を行なうことにより緩和できる。電源電圧を低く設定すれば、試験装置の構成が簡略化されるとともに、試験方法も簡略化され、費用、期間の面で有利となる。しかし、最終製品の動作条件あるいはその動作条件に近い条件でノイズ耐量を評価する必要があるために、電源電圧を下げて行なうノイズ耐量試験は意義が薄いことが多い。
【０１３０】
本実施形態では、試験装置の設計を巧妙に行なうことによって、最終製品の電力変換器よりも電源電圧を下げつつ、制御回路のノイズ耐量を評価することを可能としている。その方法を以下に説明する。
【０１３１】
図１の試験用電力変換器１１の電源電圧を最終製品の電力変換器より低く設定した場合に、ノイズ耐量の再現性の観点から主に問題となるのは、スイッチング素子のスイッチング動作に起因して、スイッチング素子−放熱フィン間を流れるコモンモード電流Ｉｃが最終製品と比べて減少することである。
【０１３２】
コモンモード電流Ｉｃ（の振幅）、静電容量Ｃ、電圧変化率ｄＶ／ｄｔ、直流電圧Ｅ、（コモンモード電流Ｉｃの）通電期間Ｔの間には、上記した関係式（１）および（２）の
関係が成立することから、電源電圧の低下に伴い、三相インバータ回路１８に印加される直流電圧Ｅが低下すると、上記関係式（２）により、電圧変化率ｄＶ／ｄｔが一定の場合、通電期間Ｔが短くなる。
【０１３３】
また、直流電圧Ｅが低下したことに対応して、電圧変化率ｄＶ／ｄｔが低下した場合、上記関係式（１）により、コモンモード電流Ｉｃの振幅が低下する。これらは、いずれもノイズ耐量に関して条件が緩和される方向であり、最終製品のノイズ耐量を確保するための試験を行う妨げとなる。
【０１３４】
この問題を解決するには、上記関係式（１）において、静電容量Ｃを、電圧変化率ｄＶ／ｄｔの低下分を打ち消す程度に増加させればよい。これは、具体的には、図２に示した三相インバータ回路１８の各段に追加したコンデンサ２６、２７、２８の容量を増やすこと、図３に示したインピーダンス素子３１、３２、３３の容量成分を増やすこと、あるいは、図１１に示したブリッジ回路１００および１１０の各段に追加したインピーダンス素子１０４、１０５、１０６、１１４、１１５、１１８の容量成分を増やすことに相当する。このようにすることで、最終製品相当のコモンモード電流Ｉｃを試験装置において実現することができる。なお、電圧変化率ｄＶ／ｄｔが低下しない場合でも、半導体スイッチング素子のスイッチングに起因するコモンモード電流Ｉｃを試験装置において、最終製品よりも大きくでき、より厳しい条件でノイズ耐量を評価できる。
【０１３５】
また、試験装置において、電源電圧を低く設定したときに、コモンモード電流Ｉｃを最終製品のものと合致させる別の方法を以下に説明する。
試験用電力変換器１１と最終製品の電力変換器に対し、電源電圧をＶ１、Ｖ０、インバータ回路を構成する半導体スイッチング素子の電圧変化率の代表値（上述の方法により求める）をｄＶ１／ｄｔ、ｄＶ０／ｄｔ、とそれぞれし、かつ、試験用電力変換器１１において、三相インバータ回路１８の各段の出力端と放熱フィン２５との間に取り付けられた各コンデンサ（図２のコンデンサ２６、２７、２８、あるいは、図３や図１１の各インピーダンス素子の容量成分）と、その各段の出力端と放熱フィン２５との間に生じる静電容量との合計をＣ１とし、最終製品の電力変換器において、三相インバータ回路の各段の出力端と放熱フィンとの間に生じる静電容量をＣ０とした場合に、下記（３−１）および（３−２）式の関係が半導体スイッチング素子のオン時およびオフ時においてそれぞれ成立あるいは概ね成立するように、試験装置の電圧変化率（の代表値）ｄＶ１／ｄｔおよびＣ１を調整する。
Ｖ０／（ｄＶ０／ｄｔ）  ＝  Ｖ１／（ｄＶ１／ｄｔ）  ・・・（３−１）
Ｃ０×Ｖ０  ＝  Ｃ１×Ｖ１                          ・・・（３−２）
実際に、上記（３−１）及び（３−２）式より、Ｃ０×（ｄＶ０／ｄｔ）＝Ｃ１×（ｄＶ１／ｄｔ）の関係を導くことができ、上記（３−１）及び（３−２）式が成立している場合は、コモンモード電流が最終製品と試験装置とで一致していることが分かる。
【０１３６】
容量Ｃ１の調整は、追加するコンデンサ（図２のコンデンサ２６、２７、２８、あるいは、図３や図１１の各インピーダンス素子の容量成分）の容量を調整することにより行われる。また、電圧変化率ｄＶ１／ｄｔの調整は、図１５のゲート抵抗の抵抗値、ゲートコンデンサの容量を調整することにより行われる。
【０１３７】
図１６は、最終製品（左側）および試験装置（右側）において、インバータ回路の出力端の電流および電圧の時間波形と、そのインバータ回路のスイッチング素子のターンオン時、ターンオフ時に流れるコモンモード電流の時間波形とをそれぞれ示した図（その１）である。
【０１３８】
このような容量Ｃ１、電圧変化率ｄＶ１／ｄｔについての調整を行なうことによって、図１６に示すように、半導体スイッチング素子のスイッチングに起因するコモンモード電流Ｉｃを試験装置と最終製品とで一致または略一致させることができる。
【０１３９】
なお、上記関係式（３−１）および（３−２）を、それぞれ次の（４−１）および（４−２）の組み合わせに変更することもできる。
Ｖ０／（ｄＶ０／ｄｔ）  ＝  Ｖ１／（ｄＶ１／ｄｔ）  ・・・（４−１）
Ｃ０×Ｖ０  ＜  Ｃ１×Ｖ１                          ・・・（４−２）
実際に、上記（４−１）及び（４−２）式より、Ｃ０×（ｄＶ０／ｄｔ）＜Ｃ１×（ｄＶ１／ｄｔ）の関係を導くことができ、上記（４−１）及び（４−２）式が成立している場合は、試験装置の方が最終製品よりもコモンモード電流が大きくなっていることが分かる。
【０１４０】
そして、上記（４−１）および（４−２）式の関係が半導体スイッチング素子のオン時およびオフ時においてそれぞれ成立あるいは概ね成立するように、試験装置の電圧変化率（の代表値）ｄＶ１／ｄｔおよびＣ１を調整する。
【０１４１】
図１７は、最終製品（左側）および試験装置（右側）において、インバータ回路の出力端の電流および電圧の時間波形と、そのインバータ回路のスイッチング素子のターンオン時、ターンオフ時に流れるコモンモード電流の時間波形とをそれぞれ示した図（その２）である。
【０１４２】
このような容量Ｃ１、電圧変化率ｄＶ１／ｄｔについての調整を行なうことによって、図１７に示すように、半導体スイッチング素子のスイッチングに起因するコモンモード電流Ｉｃを、試験装置において最終製品より大きくすることができる。これにより、最終製品よりも厳しい条件を試験時に制御装置に課すことができるため、試験時に制御装置が誤動作しないことを確認することで、ノイズ耐量にマージンを持たせて信頼性の向上を図ることができる。
【０１４３】
なお、以上では、半導体スイッチング素子にＩＧＢＴを使用した場合で各実施形態を説明したが、半導体スイッチング素子としてＭＯＳ−ＦＥＴを使用することも可能である。
【符号の説明】
【０１４４】
１０、２００  電力変換装置
１１  試験用電力変換器
１２、１０９、１２６、２０２  制御回路
１３、２０３  整流回路
１４、２０４  平滑コンデンサ
１５、１６、１７、１０１、１０２、１０３、１１１、１１２、１１３、１２２、１３３、２０５、２０６、２０７  半導体スイッチング素子
１８、２０８  三相インバータ回路
１９、２０９  電流センサ
２１、１０８、１２８、２１１  ゲート駆動回路
２２、２１２  高周波電圧印加装置
２３  負荷
２４、２１４  筺体等金属
２５  放熱フィン
２６、２７、２８  コンデンサ
３１、３２、３３、１０４、１０５、１０６、１１４、１１５、１１６、１２５  インピーダンス素子
３５  対地インピーダンス
３６、３７、３８  電源のインピーダンス
３９、５２  電源
５１  出力電圧可変の単巻変圧器
５５  昇圧トランス
１００  ブリッジ回路（順変換回路）
１１０  ブリッジ回路（逆変換回路）
１２０  フライバックコンバータ
１２１  トランス
１３１  ゲート抵抗
１３２  ゲートコンデンサ
２０１  電力変換器
【図１】
2010217043.tif 000003
【図２】
2010217043.tif 000004
【図３】
2010217043.tif 000005
【図４】
2010217043.tif 000006
【図５】
2010217043.tif 000007
【図６】
2010217043.tif 000008
【図７】
2010217043.tif 000009
【図８】
2010217043.tif 000010
【図９】
2010217043.tif 000011
【図１０】
2010217043.tif 000012
【図１１】
2010217043.tif 000013
【図１３】
2010217043.tif 000014
【図１４Ａ】
2010217043.tif 000015
【図１４Ｂ】
2010217043.tif 000016
【図１５】
2010217043.tif 000017
【図１６】
2010217043.tif 000018
【図１７】
2010217043.tif 000019
【図１８】
2010217043.tif 000020
【図１９】
2010217043.tif 000021
【図１２】
2010217043.tif 000022